(57)【要約】【課題】フレームの強度の低下を抑えて液晶表示パネルの破損を防止することを目的とする。【解決手段】隣同士の異なるグループＧ１，Ｇ２の隣り合う発光部品３０は、直列接続されずに間隔をあけて配置される。同じグループＧ１又はＧ２の隣り合う発光部品３０は、隣同士の異なるグループＧ１，Ｇ２の隣り合う発光部品３０の間隔よりも接近して配置される。フレーム３２は、導光板２４に対向する内周面から窪むとともに液晶表示パネル１０とは反対の面からも窪む複数の凹部４６を有する。隣同士の凹部４６の間には相対的に凸部４８が形成される。１つのグループＧ１又はＧ２の発光部品３０が１つの凹部４６に収納されるように、複数のグループＧ１，Ｇ２の発光部品３０は、それぞれ、複数の凹部４６に収納される。隣同士の異なるグループＧ１，Ｇ２の隣り合う発光部品３０の間に凸部４８が位置する。【選択図】図６
2014048385.tif 000002
【特許請求の範囲】
【請求項１】
液晶表示パネルと、
エッジライト方式のバックライトと、
を有し、
前記バックライトは、前記液晶表示パネルと重なるように配置される導光板と、前記導光板の端面に対向するように一列に並んで配置される複数の発光部品と、前記導光板を内側に収納して前記液晶表示パネルの裏面の周縁部に貼り付けられるフレームと、を含み、
前記複数の発光部品は、隣同士が直列接続された２つ以上の前記発光部品から各グループが構成される複数グループの前記発光部品を含み、
隣同士の異なるグループの隣り合う前記発光部品は、直列接続されずに間隔をあけて配置され、
同じグループの隣り合う前記発光部品は、隣同士の異なるグループの隣り合う前記発光部品の前記間隔よりも接近して配置され、
前記フレームは、前記導光板に対向する内周面から窪むとともに前記液晶表示パネルとは反対の面からも窪む複数の凹部を有し、隣同士の前記凹部の間には相対的に凸部が形成され、
１つのグループの前記発光部品が１つの前記凹部に収納されるように、前記複数のグループの前記発光部品は、それぞれ、前記複数の凹部に収納され、
隣同士の異なるグループの隣り合う前記発光部品の間に前記凸部が位置することを特徴とする液晶表示装置。
【請求項２】
請求項１に記載された液晶表示装置において、
前記複数の発光部品を搭載するフレキシブル配線基板をさらに有し、
前記フレキシブル配線基板は、前記フレームの前記液晶表示パネルとは反対の前記面に重ねられることを特徴とする液晶表示装置。
【請求項３】
請求項２に記載された液晶表示装置において、
前記フレキシブル配線基板と前記フレームとを固定する両面テープをさらに有し、
前記両面テープの一部は、前記フレームの前記凸部と前記フレキシブル配線基板の間に介在することを特徴とする液晶表示装置。
【請求項４】
請求項２又は３に記載された液晶表示装置において、
前記フレキシブル配線基板は、前記複数の発光部品と電気的に接続する配線パターンを有し、
前記配線パターンは、各グループの前記発光部品を直列接続し、隣同士の異なるグループの隣り合う前記発光部品を直列接続しないことを特徴とする液晶表示装置。
【発明の詳細な説明】
【技術分野】
【０００１】
本発明は、液晶表示装置に関する。
【背景技術】
【０００２】
液晶表示装置のバックライトは、点光源を面光源に変換するための導光板を有し、導光板の端面に対向するように、複数の発光部品が一列に配置されている（特許文献１）。点光源である発光部品から出射した光は、導光板の端面に入射し、反射によって導光板の表面から液晶表示パネルに出射する。発光部品及び導光板は、フレームに収納されている。
【先行技術文献】
【特許文献】
【０００３】
【特許文献１】特開２０１０−６２０１６号公報
【発明の概要】
【発明が解決しようとする課題】
【０００４】
発光部品及び導光板を収納するフレームは、液晶表示パネルに固定されており、補強部材にもなっている。フレームは、複数の凹部を有し、それぞれの凹部に発光部品が収納されている。従来、隣同士の発光部品の間隔が広かったので、間隔をあけて複数の凹部を形成することができ、隣同士の発光部品の間に、フレームの一部を壁として配置することができた。
【０００５】
近年、高輝度及び高解像度の要求から発光部品の搭載数が増加しており、隣同士の発光部品が接近してきているため、隣同士の発光部品の間に壁を形成することができず、フレームの強度が低下するおそれがある。フレームの強度の低下により、液晶表示パネルが破損しやすくなる。
【０００６】
本発明は、フレームの強度の低下を抑えて液晶表示パネルの破損を防止することを目的とする。
【課題を解決するための手段】
【０００７】
（１）本発明に係る液晶表示装置は、液晶表示パネルと、エッジライト方式のバックライトと、を有し、前記バックライトは、前記液晶表示パネルと重なるように配置される導光板と、前記導光板の端面に対向するように一列に並んで配置される複数の発光部品と、前記導光板を内側に収納して前記液晶表示パネルの裏面の周縁部に貼り付けられるフレームと、を含み、前記複数の発光部品は、隣同士が直列接続された２つ以上の前記発光部品から各グループが構成される複数グループの前記発光部品を含み、隣同士の異なるグループの隣り合う前記発光部品は、直列接続されずに間隔をあけて配置され、同じグループの隣り合う前記発光部品は、隣同士の異なるグループの隣り合う前記発光部品の前記間隔よりも接近して配置され、前記フレームは、前記導光板に対向する内周面から窪むとともに前記液晶表示パネルとは反対の面からも窪む複数の凹部を有し、隣同士の前記凹部の間には相対的に凸部が形成され、１つのグループの前記発光部品が１つの前記凹部に収納されるように、前記複数のグループの前記発光部品は、それぞれ、前記複数の凹部に収納され、隣同士の異なるグループの隣り合う前記発光部品の間に前記凸部が位置することを特徴とする。本発明によれば、フレームには凹部の間に凸部が形成されるので、フレームの強度の低下を抑えて液晶表示パネルの破損を防止することができる。凸部は、直列接続されないのでショートを避けるために間隔をあけて配置された発光部品の間に形成するので、スペースを有効的に活用することができる。
【０００８】
（２）（１）に記載された液晶表示装置において、前記複数の発光部品を搭載するフレキシブル配線基板をさらに有し、前記フレキシブル配線基板は、前記フレームの前記液晶表示パネルとは反対の前記面に重ねられることを特徴としてもよい。
【０００９】
（３）（２）に記載された液晶表示装置において、前記フレキシブル配線基板と前記フレームとを固定する両面テープをさらに有し、前記両面テープの一部は、前記フレームの前記凸部と前記フレキシブル配線基板の間に介在することを特徴としてもよい。
【００１０】
（４）（２）又は（３）に記載された液晶表示装置において、前記フレキシブル配線基板は、前記複数の発光部品と電気的に接続する配線パターンを有し、前記配線パターンは、各グループの前記発光部品を直列接続し、隣同士の異なるグループの隣り合う前記発光部品を直列接続しないことを特徴としてもよい。
【図面の簡単な説明】
【００１１】
【図１】本発明の実施形態に係る液晶表示装置の表面図である。
【図２】本発明の実施形態に係る液晶表示装置の裏面図である。
【図３】図１に示す液晶表示装置のIII−III線断面図である。
【図４】図１に示す液晶表示装置のIV−IV線断面図である。
【図５】図４に示す液晶表示装置のＶ−Ｖ線断面図である。
【図６】液晶表示装置の裏面をフレキシブル配線基板の屈曲した部分を展開して示す図である。
【図７】複数の発光部品の接続を示す図である。
【図８】本実施形態の変形例１を示す図である。
【図９】本実施形態の変形例２を示す図である。
【発明を実施するための形態】
【００１２】
以下、本発明の実施形態について図面を参照して説明する。
【００１３】
図１は、本発明の実施形態に係る液晶表示装置の表面図である。図２は、本発明の実施形態に係る液晶表示装置の裏面図である。図３は、図１に示す液晶表示装置のIII−III線断面図である。図４は、図１に示す液晶表示装置のIV−IV線断面図である。
【００１４】
液晶表示装置は、液晶表示パネル１０を有する。液晶表示パネル１０は、一対の基板１２，１４（いずれも例えばガラス基板）を有し、両者間には図示しない液晶が介在する。一方の基板１２は、図示しない薄膜トランジスタ、画素電極及び配線などを含むＴＦＴ（Thin Film Transistor）基板（又はアレイ基板）であり、他方の基板１４はカラーフィルタ基板である。
【００１５】
液晶表示パネル１０の一方の基板１２は、他方の基板１４から突出する突出部１６を有している。液晶表示パネル１０（詳しくは突出部１６）には、液晶を駆動するためのドライバ回路を内蔵する集積回路チップ１８が搭載されている。液晶表示パネル１０の一対の基板１２，１４には、それぞれ、偏光板２０が貼り付けられている。
【００１６】
液晶表示装置は、エッジライト方式のバックライト２２を有する。バックライト２２は、導光板２４を含む。導光板２４は、液晶表示パネル１０と重なるように配置される。導光板２４の表面は、液晶表示パネル１０の裏面に対向している。導光板２４は、液晶表示パネル１０の裏面側で液晶表示パネル１０の端部の下方を避けて配置される。
【００１７】
液晶表示パネル１０と導光板２４の間には光学シート群２６が配置されている。光学シート群２６は、拡散シート及びプリズムシートなどを含む。また、導光板２４の下（光学シート群２６とは反対側）には反射シート２８が配置されている。
【００１８】
バックライト２２は、複数の発光部品３０（図４参照）を含む。発光部品３０は、例えば発光ダイオードである。発光部品３０は、導光板２４に光を導入するための点光源である。点光源からの光が導光板２４で面光源に変換されて液晶表示パネル１０に照射される。複数の発光部品３０は、導光板２４の端面に対向するように一列に並んで配置される（図５参照）。
【００１９】
バックライト２２は、例えば樹脂からなるフレーム３２を含む。フレーム３２は、導光板２４を内側に収納している。フレーム３２に液晶表示パネル１０が取り付けられている。フレーム３２は、枠状の形状を有し、枠の内側のスペースを覆うように枠の一方の面に液晶表示パネル１０が貼り付けられている。フレーム３２は、液晶表示パネル１０の裏面の周縁部に貼り付けられる。その貼り付けには、遮光性の両面テープ３４が使用されている。液晶表示パネル１０の端部を裏面側でフレーム３２が支持している。
【００２０】
図５は、図４に示す液晶表示装置のＶ−Ｖ線断面図である。図６は、液晶表示装置の裏面をフレキシブル配線基板の屈曲した部分を展開して示す図である。
【００２１】
複数の発光部品３０は、フレキシブル配線基板３６に搭載されている。フレキシブル配線基板３６は、屈曲して、液晶表示パネル１０の表示側の面からその裏面に回り込むようになっている。フレキシブル配線基板３６は、図６に示すように基板３８を有する。基板３８は、本体部４０を有する。本体部４０には図示しない電子部品が搭載される。本体部４０の端部は、図１に示すように液晶表示パネル１０（詳しくは突出部１６）に取り付けられて電気的に接続される。本体部４０は、液晶表示パネル１０から離れる方向に延びる。
【００２２】
基板３８は、延長部４２を有する。延長部４２は、液晶表示パネル１０の幅方向に沿った左右いずれかの方向に偏った位置で、本体部４０から、液晶表示パネル１０に取り付けられる端部とは反対方向に延びる。
【００２３】
基板３８は、部品搭載部４４を有する。部品搭載部４４は、液晶表示パネル１０に取り付けられる端部とは反対方向に位置する。部品搭載部４４は、液晶表示パネル１０の幅方向に沿って延びる。部品搭載部４４の長さは、液晶表示パネル１０の幅方向に沿った左右方向の長さである。部品搭載部４４の幅は、部品搭載部４４の長さに直交する方向の幅である。部品搭載部４４は、延長部４２に接続される。延長部４２は、本体部４０との接続部との対向位置からずれて部品搭載部４４に接続する。
【００２４】
部品搭載部４４の発光部品３０が搭載される面は、図４に示すように、液晶表示パネル１０を向くように配置される。複数の発光部品３０は、図６に示すように、部品搭載部４４の長さに沿った方向に一列で並ぶ。
【００２５】
図５又は図６に示すように、フレーム３２は、導光板２４に対向する内周面から窪むとともに液晶表示パネル１０とは反対の面からも窪む複数の凹部４６を有する。隣同士の凹部４６の間には相対的に凸部４８が形成されている。複数のグループの発光部品３０は、それぞれ、複数の凹部４６に収納される。
【００２６】
図７は、複数の発光部品の接続を示す図である。複数の発光部品３０は、複数グループＧ１，Ｇ２の発光部品３０を含む。グループＧ１，Ｇ２のそれぞれは、隣同士が直列接続された２つ以上の発光部品３０から構成される。同じグループＧ１又はＧ２では、隣同士の発光部品３０のアノード電極５０及びカソード電極５２が接続される。隣同士の異なるグループＧ１，Ｇ２の隣り合う発光部品３０は、直列接続されずに間隔をあけて配置されている。異なるグループＧ１，Ｇ２では、隣同士の発光部品３０のアノード電極５０及びカソード電極５２が接続されない。
【００２７】
フレキシブル配線基板３６は、複数の発光部品３０と電気的に接続する配線パターン５４を有する。配線パターン５４は、各グループＧ１又はＧ２の発光部品３０を直列接続する。配線パターン５４は、隣同士の異なるグループＧ１，Ｇ２の隣り合う発光部品３０を直列接続しない。
【００２８】
同じグループＧ１又はＧ２の隣り合う発光部品３０は、隣同士の異なるグループＧ１，Ｇ２の隣り合う発光部品３０の間隔よりも接近して配置されている（図５及び図６参照）。１つのグループＧ１，Ｇ２の発光部品３０が、フレーム３２の１つの凹部４６に収納される。隣同士の異なるグループＧ１，Ｇ２の隣り合う発光部品３０の間に凸部４８が位置する。
【００２９】
フレキシブル配線基板３６は、フレーム３２の液晶表示パネル１０とは反対の面に重ねられる。フレキシブル配線基板３６とフレーム３２とは、両面テープ５６によって固定されている。両面テープ５６の一部は、フレーム３２の凸部４８とフレキシブル配線基板３６の間に介在する。
【００３０】
本実施形態によれば、フレーム３２には凹部４６の間に凸部４８が形成されるので、フレーム３２の強度の低下を抑えて液晶表示パネル１０の破損を防止することができる。凸部４８は、直列接続されないのでショートを避けるために間隔をあけて配置された発光部品３０の間に形成するので、スペースを有効的に活用することができる。
【００３１】
図８は、本実施形態の変形例１を示す図である。上記実施形態（図５参照）では、複数の発光部品３０を２つのグループＧ１，Ｇ２に分けてあるが、図８に示すように、複数の発光部品１３０を３つのグループＧ１，Ｇ２，Ｇ３に分けてもよい。その場合、凸部１４８が２個所に形成される。
【００３２】
図９は、本実施形態の変形例２を示す図である。上記実施形態（図５参照）では、複数の発光部品３０が偶数個からなる。これに対して、図９の例では、複数の発光部品２３０は、奇数個からなり、複数グループＧ１，Ｇ２の発光部品２３０と、いずれのグループにも属さない１つの発光部品２３０と、からなる。詳しくは、隣同士のグループＧ１，Ｇ２の発光部品２３０の間に、いずれのグループに属さない１つの発光部品２３０が配置されている。そして、いずれのグループにも属さない１つの発光部品２３０を挟むように凸部２４８が形成されている。
【００３３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３４】
１０  液晶表示パネル、１２  基板、１４  基板、１６  突出部、１８  集積回路チップ、２０  偏光板、２２  バックライト、２４  導光板、２６  光学シート群、２８  反射シート、３０  発光部品、３２  フレーム、３４  両面テープ、３６  フレキシブル配線基板、３８  基板、４０  本体部、４２  延長部、４４  部品搭載部、４６  凹部、４８  凸部、５０  アノード電極、５２  カソード電極、５４  配線パターン、５６  両面テープ、１３０  発光部品、１４８  凸部、２３０  発光部品、２４８  凸部、Ｇ１，Ｇ２，Ｇ３  グループ。
【図１】
2014048385.tif 000003
【図２】
2014048385.tif 000004
【図３】
2014048385.tif 000005
【図４】
2014048385.tif 000006
【図５】
2014048385.tif 000007
【図６】
2014048385.tif 000008
【図７】
2014048385.tif 000009
【図８】
2014048385.tif 000010
【図９】
2014048385.tif 000011